(57)【要約】【課題】  レール摩耗（偏摩耗）を抑制しながら、操縦安定性を向上させる。【解決手段】  周方向溝３の溝壁面５のうち、少なくとも車両内側となる溝壁面５ｉは、溝底６からのびる下側壁面部７と、下側壁面部７に連なりかつ溝基準線Ｘよりも溝内側に張り出す突出端８Ｅを有する突出部８とを具える。突出部８は、突出端８Ｅからトレッド踏面２Ｓまで傾斜してのびる傾斜面部１１を具える。【選択図】図２
2019196118.tif 000002
【特許請求の範囲】
【請求項１】
車両への装着の向きが指定されたトレッド部を有するタイヤであって、
前記トレッド部に、タイヤ周方向にのびる周方向溝を具え、かつ前記周方向溝の溝壁面のうち、少なくとも車両装着時に車両内側となる溝壁面は、
溝幅方向断面において、
溝底からのびる下側壁面部と、
前記下側壁面部に連なり、かつこの下側壁面部を延長した溝基準線よりも溝内側に張り出す突出端を有する突出部とを具え、
前記突出部は、前記突出端からトレッド踏面まで傾斜してのびる傾斜面部を具えるタイヤ。
【請求項２】
前記傾斜面部が前記トレッド踏面と交わる交点は、前記溝基準線よりも溝外側に位置する請求項１記載のタイヤ。
【請求項３】
前記トレッド踏面から前記突出端までのタイヤ半径方向の距離ＬＡは、前記周方向溝の溝深さＨの２％〜４０％の範囲である請求項１又は２記載のタイヤ。
【請求項４】
前記周方向溝の溝壁面のうち、車両内側となる溝壁面のみに前記突出部が配される請求項１〜３の何れかに記載のタイヤ。
【請求項５】
前記傾斜面部は、セレーションを具える請求項１〜４の何れかに記載のタイヤ。
【発明の詳細な説明】
【技術分野】
【０００１】
本発明は、偏摩耗を抑制しながら操縦安定性を向上させうるタイヤに関する。
【背景技術】
【０００２】
図５に示すように、従来より、周方向溝ａの溝壁面ａ１とトレッド踏面ｂとが交わる交差部ｊに、面取り部ｃを設けることが提案されている（例えば特許文献１参照）。この面取り部ｃにより、摩耗の起点となる交差部ｊの交点が切り取られることで、例えばレール摩耗等の偏摩耗が抑制される。
【０００３】
しかし前記面取り部ｃは、一方では、路面との接地面積の減少を招き、操縦安定性を低下させるという問題がある。
【先行技術文献】
【特許文献】
【０００４】
【特許文献１】特開２００９−４０１５６号公報
【発明の概要】
【発明が解決しようとする課題】
【０００５】
そこで本発明は、上記の偏摩耗を抑制しながら、特にコーナリング時（レーンチェンジを含む）における操縦安定性を向上させうるタイヤを提供することを目的としている。
【課題を解決するための手段】
【０００６】
本発明は、車両への装着の向きが指定されたトレッド部を有するタイヤであって、
前記トレッド部に、タイヤ周方向にのびる周方向溝を具え、かつ前記周方向溝の溝壁面のうち、少なくとも車両装着時に車両内側となる溝壁面は、
溝幅方向断面において、
溝底からのびる下側壁面部と、
前記下側壁面部に連なり、かつこの下側壁面部を延長した溝基準線よりも溝内側に張り出す突出端を有する突出部とを具え、
前記突出部は、前記突出端からトレッド踏面まで傾斜してのびる傾斜面部を具える。
【０００７】
本発明に係るタイヤでは、前記傾斜面部が前記トレッド踏面と交わる交点は、前記溝基準線よりも溝外側に位置するのが好ましい。
【０００８】
本発明に係るタイヤでは、前記トレッド踏面から前記突出端までのタイヤ半径方向の距離ＬＡは、前記周方向溝の溝深さＨの２％〜４０％の範囲であるのが好ましい。
【０００９】
本発明に係るタイヤでは、前記周方向溝の溝壁面のうち、車両内側となる溝壁面のみに前記突出部が配されるのが好ましい。
【００１０】
本発明に係るタイヤでは、前記傾斜面部は、セレーションを具えるのが好ましい。
【発明の効果】
【００１１】
本発明は、周方向溝の溝壁面のうちで、少なくとも車両装着時に車両内側となる溝壁面に、溝基準線よりも溝内側に張り出す突出部が形成される。又前記突出部には、その突出端からトレッド踏面まで傾斜してのびる傾斜面部が配されている。
【００１２】
この傾斜面部により、偏摩耗が抑制される。
【００１３】
またコーナリング時、タイヤに横Ｇが加わり、路面から車両内側に向く横力が作用する。この横力により、陸部が車両内側に変形し、前記傾斜面部が新たに接地する。これにより、接地面積を増加でき、グリップ性がアップすることで操縦安定性を向上しうる。
【００１４】
ここで、前記溝基準線は、従来的な溝壁面の形状に相当するもので、前記突出部が溝基準線よりも溝内側に張り出すことにより、従来的な溝壁面の場合よりも、接地面積を確実に増加しうる。なお従来的な溝壁面（溝基準線に沿う溝壁面）に、面取り部を設けた場合、この面取り部を形成した時点で、接地面積が減少している。そのため、たとえコーナリング時の横力によって面取り部が接地したとしても、面取り部を形成する前の接地面積に戻ったに過ぎず、操縦安定性の向上は達成しがたい。
【図面の簡単な説明】
【００１５】
【図１】本発明の一実施形態のタイヤのトレッド部の断面図である。
【図２】周方向溝を拡大して示す溝幅方向断面図である。
【図３】（Ａ）、（Ｂ）は、突出部の機能を説明する線図である。
【図４】傾斜面部におけるセレーションを示す斜視図である。
【図５】従来の周方向溝の面取り部を示す溝幅方向断面図である。
【発明を実施するための形態】
【００１６】
以下、本発明の実施の形態について、詳細に説明する。
本実施形態のタイヤ１は、例えば、乗用車用や重荷重用の空気入りタイヤ、及び、タイヤの内部に加圧された空気が充填されない非空気式タイヤ等の様々なタイヤに用いることができる。本例では、タイヤ１が、乗用車用の空気入りタイヤとして形成される場合が示される。
【００１７】
タイヤ１のトレッド部２には、例えば、車両への装着の向きが指定されたトレッドパターンが配される。車両への装着の向きは、例えば、サイドウォール部（図示しない。）等に文字やマークで表示されている。
【００１８】
図１に示されるように、トレッド部２には、タイヤ周方向にのびる少なくとも１本の周方向溝３が設けられ、これによりトレッド部２が複数の陸部４に区分される。本例では、トレッド部２に複数本（例えば４本）の周方向溝３が配され、これによりトレッド部２が５本の陸部４に区分されている。なお陸部４は、タイヤ周方向に連続してのびるリブであってもよく、又ブロック列であってもよい。
【００１９】
周方向溝３として、本例では、タイヤ周方向に直線状にのびるストレート溝である場合が示される。しかし、周方向溝３として、タイヤ周方向にジグザグ状にのびるジグザグ溝を採用することもでき、又ストレート溝とジグザグ溝とを混在させることもできる。
【００２０】
周方向溝３の溝幅及び溝深さは、慣例に従い適宜設定しうる。
【００２１】
図２に、周方向溝３の溝幅方向断面（溝の長さ方向と直角な断面図。）が示される。図２に示されるように、周方向溝３は、タイヤ軸方向両側の溝壁面５と、この溝壁面５、５間を継ぐ溝底６とを具える。本例の溝底６は、その両端部に円弧部６Ａを有し、溝壁面５は、円弧部６Ａに滑らかに接続されている。
【００２２】
両側の溝壁面５、５のうち、少なくとも車両内側となる溝壁面５ｉ（以下、内側の溝壁面５ｉと言う場合がある。）は、突出部８を有して形成される。本例では、車両外側となる溝壁面５ｏ（以下、外側の溝壁面５ｏと言う場合がある。）は、突出部８を有することなく、溝底６から、トレッド踏面２Ｓまで一定の角度θｏで傾斜してのびる傾斜面９として形成されている。
【００２３】
これに対して、内側の溝壁面５ｉは、前記溝底６からのびる下側壁面部７と、この下側壁面部７の上端に連なる突出部８とを具える。本例の下側壁面部７は、溝底６の前記円弧部６Ａから一定の角度θｉで傾斜してのびる。前記角度θｏ、θｉは、トレッド踏面２Ｓの法線に対する角度として定義される。
【００２４】
突出部８は、下側壁面部７を延長した溝基準線Ｘよりも溝内側（溝幅中心Ｊ側）に張り出す突出端８Ｅを具える。溝基準線Ｘは、従来的な溝壁面に相当する。本例では、溝基準線Ｘは、溝幅中心Ｊを中心として外側の溝壁面５ｏ（傾斜面９）と略線対称をなす。なお略線対称とは、線対称に加え、角度差｜θｉ−θｏ｜が５度以下の場合を含む。
【００２５】
突出部８は、下側壁面部７の上端から突出端８Ｅまでの間、溝内側に中心を有する凹円弧状の曲線１０で形成されるのが好ましい。しかし、一定角度で傾く直線で形成することもできる。
【００２６】
突出部８は、前記突出端８Ｅからトレッド踏面２Ｓまで傾斜してのびる傾斜面部１１を具える。本例では、傾斜面部１１がトレッド踏面２Ｓと交わる交点Ｐ１は、溝基準線Ｘよりも溝外側に位置している。言い換えると、傾斜面部１１は、溝基準線Ｘにより、この溝基準線Ｘよりも溝外側の面領域１１ｏと、溝内側の面領域１１ｉとに仮想区分される。
【００２７】
なお溝基準線Ｘがトレッド踏面２Ｓの延長線に交わる交点をＰ２としたとき、交点Ｐ２と突出端８Ｅとの間のタイヤ軸方向距離Ｌ２は、前記交点Ｐ１と突出端８Ｅとの間のタイヤ軸方向距離Ｌ１よりも小であり、この距離Ｌ２は距離Ｌ１の０．２〜０８倍の範囲が好ましい。
【００２８】
又トレッド踏面２Ｓから突出端８Ｅまでのタイヤ半径方向の距離ＬＡは、周方向溝３の溝深さＨの２％〜４０％の範囲が好ましい。
【００２９】
図３（Ａ）に示すように、本実施形態のタイヤ１では、直進走行時、タイヤ１に負荷される縦荷重によって陸部４が撓み、傾斜面部１１の一部、特には前記面領域１１ｏが接地する。これにより、溝壁面が溝基準線Ｘに沿って形成された場合の従来的な周方向溝と同等の接地面積を確保できる。このとき、面領域１１ｏ付近では、接地圧が相対的に低くなるため、陸部４の接地面圧を均一化でき、偏摩耗を抑制しうる。
【００３０】
図３（Ｂ）に示すように、コーナリング時には、タイヤ１に横Ｇが加わり、路面から車両内側に向く横力Ｆが、さらに作用する。この横力Ｆにより、陸部４が車両内側に変形し、面領域１１ｉがさらに接地する。これにより、接地面積を増加でき、グリップ性がアップすることで操縦安定性を向上しうる。又面領域１１ｏ、１１ｉ付近では、接地圧が相対的に低くなるため、陸部４の接地面圧を均一化でき、偏摩耗を抑制しうる。
【００３１】
タイヤ１では、正規リムにリム組みされかつ正規内圧が充填されたタイヤに、正規荷重が負荷された基準状態において、前記面領域１１ｏが接地することが好ましい。そのために、前記距離ＬＡ、Ｌ１、Ｌ２は、トレッドゴムの物性、溝深さＨ等に応じて適宜設定するのが好ましい。限定的ではないが、乗用車用空気入りタイヤの場合、前記距離ＬＡ、Ｌ１、Ｌ２は、上記の範囲が好適に採用しうる。
【００３２】
なお前記「正規リム」とは、タイヤが基づいている規格を含む規格体系において、当該規格がタイヤ毎に定めるリムであり、例えばＪＡＴＭＡであれば標準リム、ＴＲＡであれば "Design Rim" 、或いはＥＴＲＴＯであれば "Measuring Rim"を意味する。「正規内圧」とは、前記規格がタイヤ毎に定めている空気圧であり、ＪＡＴＭＡであれば最高空気圧、ＴＲＡであれば表 "TIRE LOAD LIMITS AT VARIOUS COLD INFLATION PRESSURES" に記載の最大値、ＥＴＲＴＯであれば "INFLATION PRESSURE"を意味するが、乗用車用タイヤの場合には１８０ｋＰａとする。「正規荷重」とは、前記規格がタイヤ毎に定めている荷重であり、ＪＡＴＭＡであれば最大負荷能力、ＴＲＡであれば表 "TIRE LOAD LIMITS AT VARIOUS COLD INFLATION PRESSURES" に記載の最大値、ＥＴＲＴＯであれば "LOAD CAPACITY"である。
【００３３】
溝幅方向断面において、前記傾斜面部１１は、本例では、一定角度で傾く直線で形成される。しかしこれ以外にも、タイヤ内側に中心を有する凸円弧状の曲線で形成することができ、又前記直線と曲線とを組み合わせた複合曲線で形成することもできる。
【００３４】
図４に示されるように、前記傾斜面部１１の表面に、セレーション１５を設けることが好ましい。セレーション１５は、並列された複数のリッジ１５Ａから形成される。リッジ１５Ａは、溝長さ方向に沿ってのびるのが好ましい。しかし、溝長さ方向に対して傾斜させることもできる。このような、セレーション１５は、外観性の向上に役立つ。
【００３５】
なお車両外側となる溝壁面５ｏも、溝壁面５ｉと同様の構造を採用することができる。
【００３６】
以上、本発明の特に好ましい実施形態について詳述したが、本発明は図示の実施形態に限定されることなく、種々の態様に変形して実施しうる。
【実施例】
【００３７】
図１のリブパターンを有する乗用車用空気入りタイヤ（タイヤサイズ：２１５／６０Ｒ１６）が、表１の仕様に基づき試作された。各テストタイヤの操縦安定性能及び偏摩耗がテストされた。比較例１は、溝壁面が、溝基準線に沿った傾斜面のみで形成されている。各タイヤの共通仕様は以下のとおりである。
周方向溝の溝深さＨ：１０mm
陸部（リブ）の幅：２０mm
【００３８】
トレッドゴム硬度は、ＪＩＳ−Ｋ６２５３に基づいて２３℃の環境下で測定したデュロメータＡ硬さである。
【００３９】
＜操縦安定性＞
テストタイヤを、リム（１６×７．０Ｊ）、内圧（２５０kPa）の条件にて、テスト車両（ミニバン：排気量２４００ｃｃ）の全輪に装着した。そしてドライアスファルト路面を高速走行したときのレーンチェンジ時（横Ｇは０．２Ｇ相当）の操縦安定性が、運転者の官能により評価された。結果は、比較例１を１００とする指数で表され、数値が大きいほど操縦安定性能が優れている。
【００４０】
＜偏摩耗＞
上記車両を用い、トライアスファルト路面のテストコースを合計３０００km走行させ、周方向溝の溝壁面とトレッド踏面の交差部における偏摩耗（レール摩耗）の有無を肉眼により観察した。
【００４１】
【表１】
2019196118.tif 000003
【００４２】
実施例では、レール摩耗（偏摩耗）を抑制しながら、操縦安定性を向上しうるのが確認できる。又実施例１、２から、トレッドゴムのコード硬度が相違する場合にも距離ＬＡ、Ｌ１、Ｌ２を調整することで、同様の効果を発揮しうるのが確認できる。
【符号の説明】
【００４３】
１  タイヤ
２  トレッド部
２Ｓ  トレッド踏面
３  周方向溝
５、５ｉ  溝壁面
６  溝底
７  下側壁面部
８  突出部
８Ｅ  突出端
１１  傾斜面部
１５  セレーション
Ｐ１  交点
Ｘ  溝基準線
【図１】
2019196118.tif 000004
【図２】
2019196118.tif 000005
【図３】
2019196118.tif 000006
【図４】
2019196118.tif 000007
【図５】
2019196118.tif 000008